(57)【要約】【課題】  変化があり面白味のあるサービスを提供することができるＣＭ挿入システムを提供する。【解決手段】  ＣＭ配信時間の場合（ＳＨ４）、配信先ユーザーのプロファイルデータから好みのアーティストの傾向を算出し（ＳＨ６）、算出したアーティストＩＤを現在時刻のアーティスト別ＣＭ定義データから検索して、関連のＣＭＩＤを抽出する（ＳＨ７）。ＣＭデータライブラリから、抽出したＣＭＩＤ関連のＣＭデータを取得し、このＣＭデータを番組データの未確定領域を構成するデータとして確定することで、次にパケット化して送信するデータを決定した後（ＳＨ８）、ＣＭ配信処理を実行する（ＳＨ９）。【選択図】        図８
2006339861.tif 000002
【特許請求の範囲】
【請求項１】
未確定領域が設定された番組データを配信する配信サーバと、ユーザーが利用するユーザー端末とがネットワークを介して通信可能に接続され、前記未確定領域への挿入候補となるＣＭデータが複数登録されたＣＭデータライブラリを構築するデータベースが前記配信サーバに設けられたＣＭ挿入システムであって、
前記ユーザー端末は、
番組データの配信を前記配信サーバに対して要求する番組配信要求手段と、
前記配信サーバからのパケットデータを逐次受信して該パケットデータが示す内容を順次再生する配信番組再生手段と、
を備え、
前記配信サーバは、
前記ユーザー端末からの番組データの配信要求に応じて、前記番組データがパケット化されたパケットデータを配信要求したユーザー端末へ順次配信する番組配信開始手段と、
前記番組データ配信中に、配信するパケットデータが当該番組データに設定された前記未確定領域に到達した際に、前記ＣＭデータライブラリに登録されたいずれかのＣＭデータを選択し、この選択したＣＭデータを前記未確定領域を構成するデータとして確定して前記番組データの配信を継続するＣＭデータ配信手段と、
を備えた
ことを特徴とするＣＭ挿入システム。
【請求項２】
前記データベースは、前記ユーザー端末を利用するユーザーのプロファイルを当該ユーザーに付与されたユーザーＩＤに関連付けて記録したプロファイルデータを記憶する一方、
前記ＣＭデータ配信手段は、番組データ配信先のユーザー端末を利用するユーザーのユーザーＩＤを利用して前記プロファイルデータから当該ユーザーのプロファイルを参照するとともに、このプロファイルに基づいて前記ＣＭデータライブラリから前記ＣＭデータを選択することを特徴とした請求項１記載のＣＭ挿入システム。
【請求項３】
前記ＣＭデータ配信手段は、現在時刻に基づいて前記ＣＭデータライブラリから前記ＣＭデータを選択することを特徴とした請求項１又は２記載のＣＭ挿入システム。
【請求項４】
前記データベースには、前記ユーザー端末を利用するユーザーに配信したＣＭデータを記録するデータテーブルが構築されるとともに、前記ＣＭデータライブラリに登録された各ＣＭデータには、配信数を制限する為の限定数が設定される一方、
前記配信サーバは、
前記選択したＣＭデータを前記未確定領域を構成するデータとして確定して前記番組データの配信を継続する際に、この選択したＣＭデータが配信先のユーザー端末を利用するユーザーに配信していないことを前記データテーブルで確認する未配信確認手段と、
前記選択したＣＭデータが未配信であることを確認することができた場合に、当該ＣＭデータの配信数が限定数に達していないことを確認する限定数確認手段と、
前記選択したＣＭデータの配信数が限定数に達していないことを確認することができた場合に、当該ユーザー端末を利用するユーザーに当該ＣＭデータを配信した旨を前記データテーブルに記録するとともに、前記選択したＣＭデータを前記未確定領域を構成するデータとするＣＭ挿入手段と、
を備えたことを特徴とする請求項１、２又は３記載のＣＭ挿入システム。
【請求項５】
前記配信サーバは、前記選択したＣＭデータを前記未確定領域を構成するデータとする際に、前記ＣＭデータに、配信先のユーザー端末を利用するユーザーに対応した付加情報を追加する付加情報追加手段を備えたことを特徴とする請求項１から４にいずれか記載のＣＭ挿入システム。
【請求項６】
ユーザーが利用するユーザー端末とネットワークを介して通信可能に接続され、未確定領域が設定された番組データを配信するとともに、前記未確定領域への挿入候補となるＣＭデータが複数登録されたＣＭデータライブラリを構築するデータベースを備えた配信サーバであって、
前記ユーザー端末からの番組データの配信要求を受けた際に、前記番組データがパケット化されたパケットデータを配信要求したユーザー端末へ再生可能な形態で順次配信する番組配信開始手段と、
前記番組データ配信中に、配信するパケットデータが当該番組データに設定された前記未確定領域に到達した際に、前記ＣＭデータライブラリに登録されたいずれかのＣＭデータを選択し、この選択したＣＭデータを前記未確定領域を構成するデータとして確定して前記番組データの配信を継続するＣＭデータ配信手段と、
を備えたことを特徴とする配信サーバ。
【請求項７】
前記データベースは、前記ユーザー端末を利用するユーザーのプロファイルを当該ユーザーに付与されたユーザーＩＤに関連付けて記録したプロファイルデータを記憶する一方、
前記ＣＭデータ配信手段は、番組データ配信先のユーザー端末を利用するユーザーのユーザーＩＤを利用して前記プロファイルデータから当該ユーザーのプロファイルを参照するとともに、このプロファイルに基づいて前記ＣＭデータライブラリから前記ＣＭデータを選択することを特徴とした請求項６記載の配信サーバ。
【請求項８】
前記ＣＭデータ配信手段は、現在時刻に基づいて前記ＣＭデータライブラリから前記ＣＭデータを選択することを特徴とした請求項６又は７記載の配信サーバ。
【請求項９】
前記データベースには、前記ユーザー端末を利用するユーザーに配信したＣＭデータを記録するデータテーブルが構築されるとともに、前記ＣＭデータライブラリに登録された各ＣＭデータには、配信数を制限する為の限定数が設定される一方、
前記選択したＣＭデータを前記未確定領域を構成するデータとして確定して前記番組データの配信を継続する際に、この選択したＣＭデータが配信先のユーザー端末を利用するユーザーに配信していないことを前記データテーブルで確認する未配信確認手段と、
前記選択したＣＭデータが未配信であることを確認することができた場合に、当該ＣＭデータの配信数が限定数に達していないことを確認する限定数確認手段と、
前記選択したＣＭデータの配信数が限定数に達していないことを確認することができた場合に、当該ユーザー端末を利用するユーザーに当該ＣＭデータを配信した旨を前記データテーブルに記録するとともに、前記選択したＣＭデータを前記未確定領域を構成するデータとするＣＭ挿入手段と、
を備えたことを特徴とする請求項６、７又は８記載の配信サーバ。
【請求項１０】
前記選択したＣＭデータを前記未確定領域を構成するデータとする際に、前記ＣＭデータに、配信先のユーザー端末を利用するユーザーに対応した付加情報を追加する付加情報追加手段を備えたことを特徴とする請求項６から９にいずれか記載の配信サーバ。
【請求項１１】
ユーザーが利用するユーザー端末とネットワークを介して通信可能に接続され、未確定領域が設定された番組データを配信するとともに、前記未確定領域への挿入候補となるＣＭデータが複数登録されたＣＭデータライブラリを構築するデータベースを備えた配信サーバのコンピュータに実行させるＣＭ挿入プログラムであって、
前記ユーザー端末からの番組データの配信要求を受けた際に、前記番組データがパケット化されたパケットデータを配信要求したユーザー端末へ再生可能な形態で順次配信する番組配信開始手順と、
前記番組データ配信中に、配信するパケットデータが当該番組データに設定された前記未確定領域に到達した際に、前記ＣＭデータライブラリに登録されたいずれかのＣＭデータを選択し、この選択したＣＭデータを前記未確定領域を構成するデータとして確定して前記番組データの配信を継続するＣＭデータ配信手順と、
を備えたことを特徴とするＣＭ挿入プログラム。
【請求項１２】
前記データベースは、前記ユーザー端末を利用するユーザーのプロファイルを当該ユーザーに付与されたユーザーＩＤに関連付けて記録したプロファイルデータを記憶する一方、
前記ＣＭデータ配信手順は、番組データ配信先のユーザー端末を利用するユーザーのユーザーＩＤを利用して前記プロファイルデータから当該ユーザーのプロファイルを参照するとともに、このプロファイルに基づいて前記ＣＭデータライブラリから前記ＣＭデータを選択することを特徴とした請求項１１記載のＣＭ挿入プログラム。
【請求項１３】
前記ＣＭデータ配信手順は、現在時刻に基づいて前記ＣＭデータライブラリから前記ＣＭデータを選択することを特徴とした請求項１１又は１２記載のＣＭ挿入プログラム。
【請求項１４】
前記データベースには、前記ユーザー端末を利用するユーザーに配信したＣＭデータを記録するデータテーブルが構築されるとともに、前記ＣＭデータライブラリに登録された各ＣＭデータには、配信数を制限する為の限定数が設定される一方、
前記選択したＣＭデータを前記未確定領域を構成するデータとして確定して前記番組データの配信を継続する際に、この選択したＣＭデータが配信先のユーザー端末を利用するユーザーに配信していないことを前記データテーブルで確認する未配信確認手順と、
前記選択したＣＭデータが未配信であることを確認することができた場合に、当該ＣＭデータの配信数が限定数に達していないことを確認する限定数確認手順と、
前記選択したＣＭデータの配信数が限定数に達していないことを確認することができた場合に、当該ユーザー端末を利用するユーザーに当該ＣＭデータを配信した旨を前記データテーブルに記録するとともに、前記選択したＣＭデータを前記未確定領域を構成するデータとするＣＭ挿入手順と、
を備えたことを特徴とする請求項１１、１２又は１３記載のＣＭ挿入プログラム。
【請求項１５】
前記選択したＣＭデータを前記未確定領域を構成するデータとする際に、前記ＣＭデータに、配信先のユーザー端末を利用するユーザーに対応した付加情報を追加する付加情報追加手順を備えたことを特徴とする請求項１１から１４にいずれか記載のＣＭ挿入プログラム。
【発明の詳細な説明】
【技術分野】
【０００１】
本発明は、番組中に広告情報を挿入するＣＭ挿入システムに関する。
【背景技術】
【０００２】
従来、番組中にＣＭを挿入する際には、ＣＭ挿入装置が使用されていた。（例えば、特許文献１）。
【０００３】
このＣＭ挿入装置では、番組内におけるＣＭ挿入推奨箇所にＣＭ挿入推奨箇所情報を付加し、このＣＭ挿入推奨箇所情報が検出された際に、ＣＭを挿入するように構成されている。
【特許文献１】特開２０００−０１３７６７号公報
【発明の開示】
【発明が解決しようとする課題】
【０００４】
しかしながら、このような従来のＣＭ挿入システムにあっては、番組中に挿入されるＣＭが予め定められており、変化が無く、面白味に欠けていた。
【０００５】
本発明は、このような従来の課題に鑑みてなされたものであり、変化があり面白味のあるサービスを提供することができるＣＭ挿入システムを提供することを目的とするものである。
【課題を解決するための手段】
【０００６】
前記課題を解決するために本発明の請求項１のＣＭ挿入システムにおいては、未確定領域が設定された番組データを配信する配信サーバと、ユーザーが利用するユーザー端末とがネットワークを介して通信可能に接続され、前記未確定領域への挿入候補となるＣＭデータが複数登録されたＣＭデータライブラリを構築するデータベースが前記配信サーバに設けられたＣＭ挿入システムであって、前記ユーザー端末は、番組データの配信を前記配信サーバに対して要求する番組配信要求手段と、前記配信サーバからのパケットデータを逐次受信して該パケットデータが示す内容を順次再生する配信番組再生手段と、を備え、前記配信サーバは、前記ユーザー端末からの番組データの配信要求に応じて、前記番組データがパケット化されたパケットデータを配信要求したユーザー端末へ順次配信する番組配信開始手段と、前記番組データ配信中に、配信するパケットデータが当該番組データに設定された前記未確定領域に到達した際に、前記ＣＭデータライブラリに登録されたいずれかのＣＭデータを選択し、この選択したＣＭデータを前記未確定領域を構成するデータとして確定して前記番組データの配信を継続するＣＭデータ配信手段と、を備えている。
【０００７】
すなわち、番組データの配信を受ける際には、ユーザー端末を利用して番組データの配信を配信サーバに対して要求する。すると、この配信要求を受けた配信サーバからは、前記番組データがパケット化されたパケットデータが順次配信されるので、このパケットデータを逐次受信するとともに該パケットデータが示す内容を順次再生する。
【０００８】
この番組データ配信中において、配信するパケットデータが当該番組データに設定された未確定領域に到達した際には、データベースに構築されたＣＭデータライブラリからいずれかのＣＭデータが選択され、この選択されたＣＭデータが前記未確定領域を構成するデータとして確定され前記番組データの配信が継続される。
【０００９】
このように、番組データに設定された未確定領域には、前記ＣＭデータライブラリから選択されたＣＭデータが動的に挿入され、前記ユーザー端末には、この動的に挿入されたＣＭデータが示すＣＭが再生される。
【００１０】
ここで、前記未確定領域とは、データ内容が決まっていない領域であって、後にＣＭデータが挿入される領域である。また、ＣＭデータとは、広告情報（コマーシャル・メッセージ）を再生する為のデータである。
【００１１】
また、請求項２のＣＭ挿入システムにあっては、前記データベースは、前記ユーザー端末を利用するユーザーのプロファイルを当該ユーザーに付与されたユーザーＩＤに関連付けて記録したプロファイルデータを記憶する一方、前記ＣＭデータ配信手段は、番組データ配信先のユーザー端末を利用するユーザーのユーザーＩＤを利用して前記プロファイルデータから当該ユーザーのプロファイルを参照するとともに、このプロファイルに基づいて前記ＣＭデータライブラリから前記ＣＭデータを選択する。
【００１２】
すなわち、ＣＭデータライブラリからＣＭデータを選択する際には、配信先のユーザー端末を利用するユーザーのユーザーＩＤを用いて、データベースに記憶された前記プロファイルデータから当該ユーザーのプロファイルを参照するとともに、このプロファイルに基づいてＣＭデータライブラリからＣＭデータが選択される。
【００１３】
これにより、前記ユーザー端末には、利用するユーザーの好み等に適合したＣＭデータが選択的に配信される。
【００１４】
ここで、プロファイルとは、ユーザーに関する情報であり、具体例としては、ユーザーの配信サーバでの購入履歴や居住地や年齢や性別等が挙げられる。
【００１５】
さらに、請求項３のＣＭ挿入システムにおいては、前記ＣＭデータ配信手段は、現在時刻に基づいて前記ＣＭデータライブラリから前記ＣＭデータを選択する。
【００１６】
すなわち、ＣＭデータライブラリからＣＭデータを選択する際には、現在時刻に基づいて前記ＣＭデータライブラリから前記ＣＭデータが選択される。
【００１７】
これにより、前記ユーザー端末には、利用する時刻に応じたＣＭデータが選択的に配信される。
【００１８】
また、請求項４のＣＭ挿入システムでは、前記データベースには、前記ユーザー端末を利用するユーザーに配信したＣＭデータを記録するデータテーブルが構築されるとともに、前記ＣＭデータライブラリに登録された各ＣＭデータには、配信数を制限する為の限定数が設定される一方、前記配信サーバは、前記選択したＣＭデータを前記未確定領域を構成するデータとして確定して前記番組データの配信を継続する際に、この選択したＣＭデータが配信先のユーザー端末を利用するユーザーに配信していないことを前記データテーブルで確認する未配信確認手段と、前記選択したＣＭデータが未配信であることを確認することができた場合に、当該ＣＭデータの配信数が限定数に達していないことを確認する限定数確認手段と、前記選択したＣＭデータの配信数が限定数に達していないことを確認することができた場合に、当該ユーザー端末を利用するユーザーに当該ＣＭデータを配信した旨を前記データテーブルに記録するとともに、前記選択したＣＭデータを前記未確定領域を構成するデータとするＣＭ挿入手段と、を備えている。
【００１９】
すなわち、選択したＣＭデータを番組データの未確定領域を構成するデータとして前記番組データの配信を継続する際に、この選択したＣＭデータが配信先のユーザー端末を利用するユーザーに配信していないことをデータベースに構築されたデータテーブルで確認し、前記選択したＣＭデータが未配信の場合に、当該ＣＭデータの配信数が限定数に達していないことを確認する。
【００２０】
このとき、この選択したＣＭデータの配信数が限定数に達していな場合には、当該ユーザー端末を利用するユーザーに当該ＣＭデータを配信した旨を前記データテーブルに記録するとともに、前記選択したＣＭデータを前記未確定領域を構成するデータとする。
【００２１】
これにより、一定数のＣＭデータが、予め設定された限定数のユーザーに確実に配信される。
【００２２】
また、配信数が限定されていることを謳うことによってプレミア感を出すことができる。
【００２３】
さらに、請求項５のＣＭ挿入システムにあっては、前記配信サーバは、前記選択したＣＭデータを前記未確定領域を構成するデータとする際に、前記ＣＭデータに、配信先のユーザー端末を利用するユーザーに対応した付加情報を追加する付加情報追加手段を備えている。
【００２４】
これにより、前記ユーザー端末を利用するユーザーに対応した付加情報を前記ＣＭデータに付加することができる。
【００２５】
ここで、付加情報とは、広告情報（コマーシャル・メッセージ）に付加される再生可能な情報であり、具体例としては、テキストデータや音楽データや画像データ等が挙げられる。
【００２６】
そして、本発明の請求項６の配信サーバにおいては、ユーザーが利用するユーザー端末とネットワークを介して通信可能に接続され、未確定領域が設定された番組データを配信するとともに、前記未確定領域への挿入候補となるＣＭデータが複数登録されたＣＭデータライブラリを構築するデータベースを備えた配信サーバであって、前記ユーザー端末からの番組データの配信要求を受けた際に、前記番組データがパケット化されたパケットデータを配信要求したユーザー端末へ再生可能な形態で順次配信する番組配信開始手段と、前記番組データ配信中に、配信するパケットデータが当該番組データに設定された前記未確定領域に到達した際に、前記ＣＭデータライブラリに登録されたいずれかのＣＭデータを選択し、この選択したＣＭデータを前記未確定領域を構成するデータとして確定して前記番組データの配信を継続するＣＭデータ配信手段と、を備えている。
【００２７】
また、請求項７の配信サーバにあっては、前記データベースは、前記ユーザー端末を利用するユーザーのプロファイルを当該ユーザーに付与されたユーザーＩＤに関連付けて記録したプロファイルデータを記憶する一方、前記ＣＭデータ配信手段は、番組データ配信先のユーザー端末を利用するユーザーのユーザーＩＤを利用して前記プロファイルデータから当該ユーザーのプロファイルを参照するとともに、このプロファイルに基づいて前記ＣＭデータライブラリから前記ＣＭデータを選択する。
【００２８】
さらに、請求項８の配信サーバにおいては、前記ＣＭデータ配信手段は、現在時刻に基づいて前記ＣＭデータライブラリから前記ＣＭデータを選択する。
【００２９】
また、請求項９の配信サーバにあっては、前記データベースには、前記ユーザー端末を利用するユーザーに配信したＣＭデータを記録するデータテーブルが構築されるとともに、前記ＣＭデータライブラリに登録された各ＣＭデータには、配信数を制限する為の限定数が設定される一方、前記選択したＣＭデータを前記未確定領域を構成するデータとして確定して前記番組データの配信を継続する際に、この選択したＣＭデータが配信先のユーザー端末を利用するユーザーに配信していないことを前記データテーブルで確認する未配信確認手段と、前記選択したＣＭデータが未配信であることを確認することができた場合に、当該ＣＭデータの配信数が限定数に達していないことを確認する限定数確認手段と、前記選択したＣＭデータの配信数が限定数に達していないことを確認することができた場合に、当該ユーザー端末を利用するユーザーに当該ＣＭデータを配信した旨を前記データテーブルに記録するとともに、前記選択したＣＭデータを前記未確定領域を構成するデータとするＣＭ挿入手段と、を備えている。
【００３０】
さらに、請求項１０の配信サーバにおいては、前記選択したＣＭデータを前記未確定領域を構成するデータとする際に、前記ＣＭデータに、配信先のユーザー端末を利用するユーザーに対応した付加情報を追加する付加情報追加手段を備えている。
【００３１】
これにより、この配信サーバに、前記ユーザー端末を接続して所定の操作を行うことによって、前述と同様の作用効果を奏する。
【００３２】
そして、本発明の請求項１１のＣＭ挿入プログラムにおいては、ユーザーが利用するユーザー端末とネットワークを介して通信可能に接続され、未確定領域が設定された番組データを配信するとともに、前記未確定領域への挿入候補となるＣＭデータが複数登録されたＣＭデータライブラリを構築するデータベースを備えた配信サーバのコンピュータに実行させるＣＭ挿入プログラムであって、前記ユーザー端末からの番組データの配信要求を受けた際に、前記番組データがパケット化されたパケットデータを配信要求したユーザー端末へ再生可能な形態で順次配信する番組配信開始手順と、前記番組データ配信中に、配信するパケットデータが当該番組データに設定された前記未確定領域に到達した際に、前記ＣＭデータライブラリに登録されたいずれかのＣＭデータを選択し、この選択したＣＭデータを前記未確定領域を構成するデータとして確定して前記番組データの配信を継続するＣＭデータ配信手順と、を備えている。
【００３３】
また、請求項１２のＣＭ挿入プログラムにあっては、前記データベースは、前記ユーザー端末を利用するユーザーのプロファイルを当該ユーザーに付与されたユーザーＩＤに関連付けて記録したプロファイルデータを記憶する一方、前記ＣＭデータ配信手順は、番組データ配信先のユーザー端末を利用するユーザーのユーザーＩＤを利用して前記プロファイルデータから当該ユーザーのプロファイルを参照するとともに、このプロファイルに基づいて前記ＣＭデータライブラリから前記ＣＭデータを選択する。
【００３４】
さらに、請求項１３のＣＭ挿入プログラムにおいては、前記ＣＭデータ配信手順は、現在時刻に基づいて前記ＣＭデータライブラリから前記ＣＭデータを選択する。
【００３５】
また、請求項１４のＣＭ挿入プログラムでは、前記データベースには、前記ユーザー端末を利用するユーザーに配信したＣＭデータを記録するデータテーブルが構築されるとともに、前記ＣＭデータライブラリに登録された各ＣＭデータには、配信数を制限する為の限定数が設定される一方、前記選択したＣＭデータを前記未確定領域を構成するデータとして確定して前記番組データの配信を継続する際に、この選択したＣＭデータが配信先のユーザー端末を利用するユーザーに配信していないことを前記データテーブルで確認する未配信確認手順と、前記選択したＣＭデータが未配信であることを確認することができた場合に、当該ＣＭデータの配信数が限定数に達していないことを確認する限定数確認手順と、前記選択したＣＭデータの配信数が限定数に達していないことを確認することができた場合に、当該ユーザー端末を利用するユーザーに当該ＣＭデータを配信した旨を前記データテーブルに記録するとともに、前記選択したＣＭデータを前記未確定領域を構成するデータとするＣＭ挿入手順と、を備えている。
【００３６】
さらに、請求項１５のＣＭ挿入プログラムにあっては、前記選択したＣＭデータを前記未確定領域を構成するデータとする際に、前記ＣＭデータに、配信先のユーザー端末を利用するユーザーに対応した付加情報を追加する付加情報追加手順を備えている。
【００３７】
したがって、ユーザー端末のコンピュータがこのプログラムに従って処理を実行することにより、前述と同様の作用効果を奏する。
【発明の効果】
【００３８】
以上説明したように本発明にあっては、番組データに設定された未確定領域に、ＣＭデータライブラリから選択されたＣＭデータを動的に挿入することで、番組中に挿入されるＣＭを動的に変化させることができる。
【００３９】
これにより、番組中に挿入されるＣＭが予め定められていて、変化が無く面白味に欠けた従来と比較して、変化に富んだ面白味のあるサービスを提供することができる。
【００４０】
また、ＣＭデータライブラリからＣＭデータを選択する際に、ユーザーのプロファイルに基づいてＣＭデータを選択することによって、利用するユーザーの好み等に合ったＣＭを当該ユーザーに対して配信することができる。
【００４１】
さらに、ＣＭデータライブラリからＣＭデータを選択する際に、現在時刻に基づいてＣＭデータが選択することによって、利用する時間帯に応じたＣＭを配信することができる。
【００４２】
また、選択したＣＭデータが未配信であり、当該ＣＭデータの配信数が限定数に達していない場合に、当該ＣＭデータを配信することで、一定数のＣＭデータを、予め設定された限定数のユーザーに確実に配信することができる。
【００４３】
そして、配信数が限定されていることを謳うことによってプレミア感を出すこともできる。
【００４４】
さらに、ユーザーに対応した追加情報を再生されるＣＭに付加することもできる。
【発明を実施するための最良の形態】
【００４５】
以下、本発明の一実施の形態を図面にしたがって説明する。図１は、本発明の一実施の形態に係るＣＭ挿入システム１を示すブロック図であり、該ＣＭ挿入システム１は、ネットワークとしてのインターネット２を利用して構築されている。
【００４６】
このインターネット２上には、配信サーバ１１が設けられており、該配信サーバ１１には、前記インターネット２上に設けられた基地局を含む移動体通信網を介して、ユーザー端末１２，・・・が接続できるように構成されている。
【００４７】
このユーザー端末１２は、前記配信サーバ１１を使用するユーザーが利用する携帯端末であり、表示モニタ２１や入力ボタン２２，・・・を備えるとともに、前記インターネット２に接続できる環境を備えた携帯電話で構成されている。このユーザー端末１２は、マイクロコンピュータを中心に構成されており、ＲＯＭ又はＲＡＭに記憶されたＷｅｂブラウザプログラムを作動することで、インターネット２を経由して前記配信サーバ１１と交信できるように構成されている。これにより、このユーザー端末１２を利用することによって前記インターネット２を経由して前記配信サーバ１１に接続し、該配信サーバ１１に構築されたサイト（ホームページ）にアクセスして、該サイトを利用できるように構成されている。
【００４８】
また、前記ユーザー端末１２は、例えば前記配信サーバ１１から供給された番組受信プログラムを実行可能な形態で前記ＲＡＭに記憶できるように構成されており、この番組受信プログラムを作動することによって、当該配信サーバ１１より配信された番組を視聴できるように構成されている。
【００４９】
この配信サーバ１１は、データベース３１と番組用データベース３２を備えている。該番組用データベース３２には、番組を構成する為の番組データが記憶されており、前記データベース３１には、プログラムを記憶するためのプログラム記憶領域と、データを記憶するためのデータ記憶領域とが形成されている。当該配信サーバ１１は、通信機能を備えており、前記プログラム領域に記憶されたサーバープログラム及びＣＭ挿入プログラムに従って作動することにより、前記ユーザー端末１２と通信するとともにＣＭが挿入された番組を配信できるように構成されている。
【００５０】
この配信サーバ１１には、図２に示すように、オーサリング端末４１から複数のコンテンツ４２が供給されるように構成されており、各コンテンツ４２は、番組を構成する番組データ４３として前記番組用データベース３２に記憶されるように構成されている。前記各番組データ４３は、前記オーサリング端末４１で収録された音楽や画像等を再生する為の音楽データや画像データ等によって構成されており、番組のコンテンツ４２を再生する為のデータを構成している。
【００５１】
また、前記配信サーバ１１は、前記番組データ４３を前記ユーザー端末１２に配信する際に、当該番組データ４３を一定の大きさに分割してパケット化するとともに、このパケット化されたパケットデータ５１，・・・を送信するように構成されており、前記ユーザー端末１２と前記配信サーバ１１との間では、前記ユーザー端末１２からリクエストデータ５２を受ける度に、次パケットデータ５１を順次再生可能な形態のストリーミングで送信するコンテンツ供給通信５３が行われるように構成されている。
【００５２】
前記データベース３１のデータ記憶領域には、図１に示したように、マイアルバム６１と、ＣＭデータライブラリ６２と、朝用アーティスト別ＣＭ定義データ６３と、昼用アーティスト別ＣＭ定義データ６４と、夜用アーティスト別ＣＭ定義データ６５と、ＣＭ保証データテーブル６６と、おまけ素材ライブラリ６７と、ＣＭ配信管理ＤＢ６８とが記憶されている。
【００５３】
また、このデータ記憶領域には、図３に示すように、前記番組データ４３も記憶されており、この番組データ４３は、内容確定領域７１，・・・と未確定領域７２，・・・とが番組開始点７３から番組終了点７４までの間に時系列で設定されている。前記内容確定領域７１には、所定のコンテンツ４２を構成するコンテンツデータが予め記憶されている一方、前記未確定領域７２には、例えば１０秒間の空き領域とされている。前記ＣＭデータライブラリ６２には、この未確定領域７２への挿入候補となるＣＭデータが複数登録されており、これらのＣＭデータは、例えば１０秒のＣＭを再生する為のデータからなる。
【００５４】
前記マイアルバム６１には、図４に示すように、当該配信サーバ１１のサイトで販売した着信メロディや着信ムービー等の購入履歴が記憶されている。すなわち、このマイアルバム６１のユーザーＩＤ記録領域８１には、前記ユーザー端末１２を利用するユーザーを特定する為のユーザーＩＤ８２が記録されており、タイムスタンプ記録領域８３には、購入日時を示すタイムスタンプ８４が記録されている。また、曲ＩＤ記録領域８９には、購入した曲を特定する為の曲ＩＤ８５が記録されており、アーティストＩＤ記録領域８６には、その曲のアーティストを特定する為のアーティストＩＤ８７が記録されている。そして、前記タイムスタンプ８４と、前記曲ＩＤ８５と、アーティストＩＤ８７とは、前記ユーザーＩＤ８２に関連付けられて記憶されており、これらは前記ユーザーのプロファイルデータ８８を構成している。
【００５５】
前記朝用アーティスト別ＣＭ定義データ６３と、前記昼用アーティスト別ＣＭ定義データ６４と、前記夜用アーティスト別ＣＭ定義データ６５とは、図５に示すように、アーティストと配信するＣＭとを時間帯別に関連付けするデータであり、前記朝用アーティスト別ＣＭ定義データ６３は、配信時刻が６：００〜１１：５９の際に用いるデータである。また、前記昼用アーティスト別ＣＭ定義データ６４は、配信時刻が１２：００〜１７：５９の際に用いるデータであり、前記夜用アーティスト別ＣＭ定義データ６５は、配信時刻が１８：００〜２４：５９の際に用いるデータである。
【００５６】
各アーティスト別ＣＭ定義データ６３〜６５のＣＭＩＤ記録領域９１，・・・には、各ＣＭデータを識別する為のＣＭＩＤ９２，・・・が記録されており、アーティストＩＤ記録領域９３，・・・には、アーティストを特定する為の前記アーティストＩＤ８７，・・・が記録されている。また、ＣＭタイトル記録領域９５，・・・には、ＣＭ名を示すＣＭタイトル９６，・・・が記録されており、前記ＣＭＩＤ９２と前記ＣＭタイトル９６とは、前記アーティストＩＤ８７に関連付けられて記憶されている。
【００５７】
前記ＣＭＩＤ９２及び前記ＣＭタイトル９６は、各アーティスト別ＣＭ定義データ６３〜６５が用いられる時間帯に基づいて設定されており、例えば前記朝用アーティスト別ＣＭ定義データ６３における前記ＣＭタイトル９６及びそのＣＭＩＤ９２が構成するＣＭは、朝向けの内容で構成されている。また、前記昼用アーティスト別ＣＭ定義データ６４における前記ＣＭタイトル９６及びそのＣＭＩＤ９２が構成するＣＭは、昼向けの内容で構成されており、前記夜用アーティスト別ＣＭ定義データ６５における前記ＣＭタイトル９６及びそのＣＭＩＤ９２が構成するＣＭは、夜向けの内容で構成されている。
【００５８】
前記ＣＭデータライブラリ６２は、図６に示すように、前記ＣＭＩＤ９２，・・・とＣＭデータ１０１，・・・とを関連付けて記憶したライブラリであり、このＣＭデータライブラリ６２のＣＭＩＤ記録領域１０２には、前記ＣＭＩＤ９２，・・・が記録されている。また、ＣＭデータ領域１０３には、前記ＣＭデータ１０１，・・・を示す例えばファイル名が記録されており、前記ＣＭＩＤ９２を取得すれば、そのＣＭＩＤ９２に対応したＣＭデータ１０１を抽出できるように構成されている。また、限定数記録領域１０４には、各ＣＭデータ１０１，・・・の配信数を制限する為の限定数１０２，・・・が記録されており、これらの限定数１０２は、各ＣＭデータ１０１を登録する際に設定された値である。
【００５９】
前記ＣＭ保証データテーブル６６は、図７に示すように、各ユーザーに配信したＣＭデータ１０１，・・・を記録するデータテーブルであり、このＣＭ保証データテーブル６６のユーザーＩＤ記録領域１１１には、前記ＣＭデータ１０１の配信を受けたユーザーのユーザーＩＤ８２，・・・が記録されている。また、前記ＣＭ保証データテーブル６６のＣＭＩＤ記録領域１１２には、配信したＣＭデータ１０１を特定する為の前記ＣＭＩＤ９２，・・・が前記ユーザーＩＤ８２，・・・に関連付けられて記録されており、タイムスタンプ記録領域１１３には、そのＣＭデータ１０１を配信した日時を示すタイムスタンプ１１４，・・・が前記ユーザーＩＤ８２，・・・に関連付けられて記録されている。
【００６０】
これにより、同ＣＭＩＤ９２が記録されたユーザーＩＤ８２の数を抽出することで、当該ＣＭＩＤ９２のＣＭデータ１０１の配信数が把握できるように構成されている。また、同じユーザーへの同じＣＭデータ１０１の二重登録を防止できるように構成されている。
【００６１】
そして、前記おまけ素材ライブラリ６７には、ユーザーに付与する為の待ち受け画像データや着信メロディーデータ等が記憶されており、前記ＣＭ配信管理ＤＢ６８には、ＣＭデータ１０１の現在の配信数や、この配信数を知られる為のテキストデータ等が記録されている。
【００６２】
以上の構成にかかる本実施の形態の動作を、図８及び図９に示すフローチャートに従って説明する。
【００６３】
すなわち、前記配信サーバ１１で配信している番組を前記ユーザー端末１２を利用して視聴する際には、当該ユーザー端末１２にて前記配信サーバ１１から供給された番組受信プログラムを実行して、前記配信サーバ１１に対して番組データ４３の配信を要求するとともに、ユーザー端末１２と配信サーバ１１との間において、前記ユーザー端末１２からリクエストデータ５２を受ける度に、前記配信サーバ１１から番組データ４３を構成するパケットデータ５１をストリーミング配信するコンテンツ供給通信５３を開始する。これにより、前記ユーザー端末１２には、前記番組データ４３がパケット化されたパケットデータ５１が順次配信されるので、このパケットデータ５１を逐次受信するとともに該パケットデータ５１が示す内容を順次再生することができる。
【００６４】
このコンテンツ供給通信５３において、前記ユーザー端末１２から前記リクエストデータ５２を受けた際には、このリクエストデータ５２を受け付け（ＳＨ１）、次に送信するパケットデータ５１がＣＭデータ１０１をパケット化したデータであるか否かから現在ＣＭを配信中であるか否かを判断する（ＳＨ２）。
【００６５】
このとき、ＣＭ配信中の場合には、現在選択されているＣＭデータ１０１のパケットデータ５１を、配信要求した前記ユーザー端末１２へ送信して（ＳＨ３）、メインルーチンへ戻る一方、ＣＭ配信中で無い場合には、次に送信するパケットデータ５１が前記番組データ４３の未確定領域７２に挿入されるＣＭデータ１０１の配信時間であるか否かを判断する（ＳＨ４）。
【００６６】
この判断において、次に配信するパケットデータ５１が当該番組データ４３に設定された前記未確定領域７２に到達しておらず、前記ＣＭデータ１０１の配信時間で無いと判断した際には、内容確定領域７１に設定されたコンテンツ４２を構成するコンテンツデータを、配信要求した前記ユーザー端末１２へ送信して（ＳＨ５）、メインルーチンへ戻る。
【００６７】
また、前記ステップＳＨ４の判断において、次に配信するパケットデータ５１が当該番組データ４３に設定された前記未確定領域７２に到達していて、ＣＭデータ１０１の配信時間であると判断した際には、図４に示したように、データベース３１に設けられたマイアルバム６１において、配信先のユーザー端末１２を利用するユーザーのユーザーＩＤ８２、例えば「ＡＡＡＡＡＡＡＡ」を抽出するとともに、抽出した該ユーザーＩＤ８２「ＡＡＡＡＡＡＡＡ」に関連付けられたプロファイルデータ８８のアーティストＩＤ記録領域８６から最も記録数の多いアーティストＩＤ８７、例えば「１」を抽出することによって、好みのアーティストの傾向を算出する（ＳＨ６）。
【００６８】
そして、算出したアーティストＩＤ８７を、図５に示したように、現在時刻に適合したアーティスト別ＣＭ定義データ６３〜６５を決定するとともに、このアーティスト別ＣＭ定義データ６３〜６５から前記算出したアーティストＩＤ８７を検索し、該アーティストＩＤ８７に関連付けられたＣＭＩＤ９２を抽出する（ＳＨ７）。例えば、現在時刻が２２時２０分４０秒の場合には、夜用アーティスト別ＣＭ定義データ６５を選択し、この夜用アーティスト別ＣＭ定義データ６５から前記算出したアーティストＩＤ８７「１」に関連付けられたＣＭＩＤ９２「１００−３」を抽出する。
【００６９】
次に、図６に示したように、ＣＭデータライブラリ６２から、この抽出したＣＭＩＤ９２「１００−３」に関連付けられたＣＭデータ１０１を取得するとともに、このＣＭデータ１０１を前記未確定領域７２を構成するデータとして確定することで、次にパケット化して送信するデータを決定した後（ＳＨ８）、ＣＭ配信処理を実行する（ＳＨ９）。
【００７０】
このＣＭ配信処理では、図９に示すように、配信中のユーザーのユーザーＩＤ８２「ＡＡＡＡＡＡＡＡ」を、図７に示したＣＭ保証テーブル６６から検索して抽出するとともに、この抽出したユーザーＩＤ８２「ＡＡＡＡＡＡＡＡ」に、前処理で確定したＣＭＩＤ９２「１００−３」が関連付けられているか否かを検索する（ＳＣ１）。
【００７１】
このとき、前記ユーザーＩＤ８２「ＡＡＡＡＡＡＡＡ」が前記ＣＭ保証テーブル６６に登録されており、この前記ユーザーＩＤ８２「ＡＡＡＡＡＡＡＡ」に前記ＣＭＩＤ９２「１００−３」が関連付けられていて、この前記ユーザーＩＤ８２「ＡＡＡＡＡＡＡＡ」のユーザーに前記ＣＭＩＤ９２「１００−３」のＣＭデータ１０１を過去に配信している場合には（ＳＣ２）、ステップＳＣ７へ分岐する。
【００７２】
一方、前記ユーザーＩＤ８２「ＡＡＡＡＡＡＡＡ」が前記ＣＭ保証テーブル６６に登録されていない、又は前記ユーザーＩＤ８２「ＡＡＡＡＡＡＡＡ」が前記ＣＭ保証テーブル６６に登録されているが、前記ＣＭＩＤ９２「１００−３」が関連付けられておらず、前記ユーザーＩＤ８２「ＡＡＡＡＡＡＡＡ」のユーザーに前記ＣＭＩＤ９２「１００−３」を配信したことが無い場合には（ＳＣ２）、図６に示したＣＭデータライブラリ６２に登録された前記ＣＭＩＤ９２「１００−３」の配信数を定める限定数１０２「１００」を抽出するとともに、図７に示したＣＭ保証テーブル６６か同ＣＭＩＤ９２「１００−３」が記録されたユーザーＩＤ８２の数を抽出することで、当該ＣＭＩＤ９２「１００−３」のＣＭデータ１０１の配信数を取得し、前記限定数１０２「１００」から前記配信数を減算することによって残数を算出する（ＳＣ３）。そして、この残数が「０」の場合には（ＳＣ４）、当該ＣＭＩＤ９２「１００−３」のＣＭデータ１０１の配信は行わずに（ＳＣ５）、前記配信処理へ戻る。
【００７３】
また、前記ステップＳＣ４にて、前記残数が有る場合には、配信先のユーザーのユーザーＩＤ８２「ＡＡＡＡＡＡＡＡ」に、前記ＣＭＩＤ９２「１００−３」と現在時刻のタイムスタンプ１１４とを関連付けて、前記ＣＭ保証テーブル６６に追加登録する（ＳＣ６）。
【００７４】
そして、このＣＭＩＤ９２「１００−３」のＣＭデータ１０１がパケット化されたパケットデータ５１を配信中の前記ユーザー端末１２へ送信し（ＳＣ７）、当該ユーザー端末１２に前記ＣＭデータ１０１が構成する広告情報を再生させるとともに、以後の処理において、前記ＣＭＩＤ９２「１００−３」のＣＭデータ１０１の前記ユーザー端末１２への配信を継続して前記配信処理へ戻る。これにより、この配信処理において、次回実行するステップＳＨ３では、この前記ＣＭＩＤ９２「１００−３」のＣＭデータ１０１を現在選択されているＣＭデータ１０１とすることができる。
【００７５】
これにより、予め定められた一定数のＣＭデータ１０１を、前記限定数１０２「１００」のユーザーに確実に配信することができる。
【００７６】
また、配信数が限定されていることを謳うことによってプレミア感を出すことができる。
【００７７】
ここで、前記ＣＭＩＤ９２「１００−３」のＣＭデータ１０１を前記未確定領域７２を構成するデータとする際には、図１０に示すように、当該ＣＭデータ１０１の再生内容１２１に、配信先のユーザー端末１２を利用するユーザーに対応した付加情報１２２を追加する。
【００７８】
この付加情報１２２としては、当該ユーザーのプロファイルデータ８８に基づくものであったり、この配信数が前記限定数１０２「１００」中何番目であることを知らせるテキストデータ１２３であったり、配信数がぞろ目であることを示すテキストデータ１２４等が挙げられる。このぞろ目を示すテキストデータ１２４には、プレゼントを進呈する旨のテキストデータ１２５を加えるとともに、前記おまけ素材ライブラリ６７に登録された待ち受け画像データや着信メロディーデータを取得できるように構成することもできる。
【００７９】
これにより、前記ユーザー端末１２を利用するユーザーに対応した追加情報を前記ＣＭデータ１０１に付加することで、ＣＭに楽しみを加えることができる。
【００８０】
以上説明したように、前記番組データ４３に設定された前記未確定領域７２に、ＣＭデータライブラリ６２から選択されたＣＭデータ１０１を動的に挿入することで、番組中に挿入されるＣＭを動的に変化させることができる。
【００８１】
これにより、番組中に挿入されるＣＭが予め定められていて、変化が無く面白味に欠けた従来と比較して、変化に富んだ面白味のあるサービスを提供することができる。
【００８２】
また、前記ＣＭデータライブラリ６２からＣＭデータ１０１を選択する際に、ユーザーのプロファイルデータ８８に基づいてＣＭデータ１０１を選択することで、利用するユーザーの好み等に合ったＣＭを当該ユーザーに対して配信することができる。このため、同一の番組であっても、ユーザー毎に異なるＣＭを配信することができる。
【００８３】
さらに、前記ＣＭデータライブラリ６２からＣＭデータ１０１を選択する際に、現在時刻に基づいて前記ＣＭデータ１０１を選択することで、例えば夜にはお酒や焼き肉等、利用する時間帯に応じたＣＭを配信することができる。
【図面の簡単な説明】
【００８４】
【図１】本発明の一実施の形態を示すブロック図である。
【図２】同実施の形態の動作を示す説明図である。
【図３】同実施の形態の番組データの構成を示す説明図である。
【図４】同実施の形態のマイアルバムを示す説明図である。
【図５】同実施の形態の各アーティスト別ＣＭ定義データを示す説明図である。
【図６】同実施の形態のＣＭデータライブラリを示す説明図である。
【図７】同実施の形態のＣＭ保証データテーブルを示す説明図である。
【図８】同実施の形態の配信処理の動作を示すフローチャートである。
【図９】同実施の形態のＣＭ配信処理の動作を示すフローチャートである。
【図１０】同実施の形態のユーザー端末の表示モニタでの表示状態を示す説明図である。
【符号の説明】
【００８５】
１    ＣＭ挿入システム
２    インターネット
１１    配信サーバ
１２    ユーザー端末
３１    データベース
３２    番組データベース
４２    コンテンツ
４３    番組データ
５３    コンテンツ供給通信
６２    ＣＭデータライブラリ
６６    ＣＭ保証データテーブル
７２    未確定領域
８２    ユーザーＩＤ
８８    プロファイルデータ
１０１    ＣＭデータ
１０２    限定数
１２２    付加情報
【図１】
2006339861.tif 000003
【図２】
2006339861.tif 000004
【図３】
2006339861.tif 000005
【図４】
2006339861.tif 000006
【図５】
2006339861.tif 000007
【図６】
2006339861.tif 000008
【図７】
2006339861.tif 000009
【図８】
2006339861.tif 000010
【図９】
2006339861.tif 000011
【図１０】
2006339861.tif 000012